【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
印刷装置であって、
ユーザに関連付けて印刷データを記憶する記憶手段と、
印刷データに基づきシートに画像を印刷する印刷手段と、
ユーザが前記印刷装置にログインしたことに従って、前記ログインしたユーザに関連付けて前記記憶手段に記憶された印刷データであって、暗号化された印刷データを少なくとも除く印刷データを前記ログインしたユーザの操作を受け付けることなしに、前記印刷手段に印刷させる印刷制御手段と、
を有することを特徴とする印刷装置。
【請求項２】
前記記憶手段は、更に前記記憶している印刷データを特定する特定情報と、当該印刷データを投入したユーザの識別情報と、当該印刷データが暗号化されているか否かを示す情報を対応づけた対応情報を記憶し、
前記印刷制御手段は、前記ログインしたユーザに対応する識別情報を含み、前記印刷データが暗号化されていないことを示す情報が対応付けられている対応情報を抽出し、当該抽出された対応情報に含まれる特定情報に基づき印刷すべき印刷データを特定し、当該特定した印刷データを前記印刷手段に印刷させることを特徴とする請求項１に記載の印刷装置。
【請求項３】
前記記憶手段は、前記対応情報として、前記特定情報に基づき特定される印刷データが前記印刷装置で過去に印刷されたか否かを識別する第２の識別情報を対応付けて記憶し、
前記印刷制御手段は、前記ログインしたユーザに対応する識別情報を含み、前記印刷データが暗号化されていないことを示す情報が対応付けられており、且つ、第２の識別情報として、前記印刷装置で過去に印刷されていないことを示す識別情報が対応付けられた対応情報を抽出することを特徴とする請求項２に記載の印刷装置。
【請求項４】
前記ログインしたユーザに関連付けて記憶された印刷データを選択する選択画面を表示する表示手段と、
前記選択画面を介したユーザ操作に基づき選択された印刷データを印刷する印刷指示をユーザから受け付けたことに従って、前記選択された印刷データを前記印刷手段に印刷させる第２の印刷制御手段と、
を更に有することを特徴とする請求項１乃至３のいずれか１項に記載の印刷装置。
【請求項５】
前記表示手段は、前記選択画面を介して暗号化された印刷データが選択された後に、複号に用いる情報を受け付ける受け付け画面を表示することを特徴とする請求項４に記載の印刷装置。
【請求項６】
前記受け付け画面を介して受け付けた情報を用いて前記暗号化された印刷データを複号する複号手段を更に有し、
前記選択画面を介して暗号化された印刷データが選択された場合、前記第２の印刷制御手段は、前記複号手段によって複号された印刷データを前記印刷手段に印刷させることを特徴とする請求項５に記載の印刷装置。
【請求項７】
前記ログインしたユーザに関連付けて記憶された印刷データの中に暗号化された印刷データが含まれているか否かを判定する判定手段と、
前記判定手段で前記暗号化された印刷データが含まれていると判定された場合に、ユーザに所定の通知を行う通知手段と、を更に有することを特徴とする請求項１乃至６のいずれか１項に記載の印刷装置。
【請求項８】
前記所定の通知は、ログインに応じた自動印刷の対象とならない印刷ジョブが記憶されていることを示す通知であることを特徴とする請求項７に記載の印刷装置。
【請求項９】
印刷方法であって、
ユーザに関連付けて印刷データを所定の記憶領域に格納する格納工程と、
ユーザが印刷装置にログインしたことに従って、前記ログインしたユーザに関連付けて前記所定の記憶領域に格納された印刷データであって、暗号化された印刷データを少なくとも除く印刷データを前記ログインしたユーザの操作を受け付けることなしに、前記印刷装置が有する印刷手段を用いて印刷させる印刷制御工程と、
を有することを特徴とする印刷方法。
【請求項１０】
前記所定の記憶領域は印刷装置が有する記憶装置上に設けられていることを特徴とする請求項９に記載の印刷方法。
【請求項１１】
前記所定の記憶領域は、外部装置が有する記憶装置上に設けられていることを特徴とする請求項９に記載の印刷方法。
【請求項１２】
前記所定の記憶領域には、更に、前記格納している印刷データを特定する特定情報と、当該印刷データを投入したユーザの識別情報と、当該印刷データが暗号化されているか否かを示す情報を対応づけた対応情報が記憶され、
前記印刷制御工程では、前記ログインしたユーザに対応する識別情報を含み、前記印刷データが暗号化されていないことを示す情報が対応付けられている対応情報を抽出し、当該抽出された対応情報に含まれる特定情報に基づき印刷すべき印刷データを特定し、当該特定した印刷データを前記印刷手段に印刷させることを特徴とする請求項９乃至１１のいずれか１項に記載の印刷方法。
【請求項１３】
前記対応情報には、前記特定情報に基づき特定される印刷データが前記印刷装置で過去に印刷されたか否かを識別する第２の識別情報が更に対応付けられており、
前記印刷制御工程では、前記ログインしたユーザに対応する識別情報を含み、前記印刷データが暗号化されていないことを示す情報が対応付けられており、且つ、第２の識別情報として、前記印刷装置で過去に印刷されていないことを示す識別情報が対応付けられた対応情報を抽出することを特徴とする請求項１２に記載の印刷方法。
【請求項１４】
前記ログインしたユーザに関連付けて格納された印刷データを選択する選択画面を表示する表示制御工程と、
前記選択画面を介したユーザ操作に基づき選択された印刷データを印刷する印刷指示をユーザから受け付けたことに従って、前記選択された印刷データを前記印刷手段に印刷させる第２の印刷制御工程と、
を更に有することを特徴とする請求項９乃至１３のいずれか１項に記載の印刷方法。
【請求項１５】
前記選択画面を介して暗号化された印刷データが選択された後に、複号に用いる情報を受け付ける受け付け画面を表示する第２の表示制御工程を更に有することを特徴とする請求項１４に記載の印刷方法。
【請求項１６】
前記受け付け画面を介して受け付けた情報を用いて前記暗号化された印刷データを複号する複号工程を更に有し、
前記選択画面を介して暗号化された印刷データが選択された場合、前記第２の印刷制御工程では、前記複号工程で複号された印刷データを前記印刷手段に印刷させることを特徴とする請求項１５に記載の印刷方法。
【請求項１７】
前記ログインしたユーザに関連付けて格納された印刷データの中に暗号化された印刷データが含まれているか否かを判定する判定工程と、
前記判定工程で前記暗号化された印刷データが含まれていると判定された場合に、ユーザに所定の通知を行う通知工程と、を更に有することを特徴とする請求項９乃至１６のいずれか１項に記載の印刷方法。
【請求項１８】
前記所定の通知は、ログインに応じた自動印刷の対象とならない印刷ジョブが格納されていることを示す通知であることを特徴とする請求項１７に記載の印刷方法。
【請求項１９】
請求項９乃至１８のいずれか１項に記載の印刷方法をコンピュータに実行させるためのプログラム。
【手続補正２】
【補正対象書類名】明細書
【補正対象項目名】発明の名称
【補正方法】変更
【補正の内容】
【発明の名称】印刷装置、印刷方法、及びプログラム
【手続補正３】
【補正対象書類名】明細書
【補正対象項目名】０００６
【補正方法】変更
【補正の内容】
【０００６】
本発明の一実施形態に係る印刷装置は、ユーザに関連付けて印刷データを記憶する記憶手段と、印刷データに基づきシートに画像を印刷する印刷手段と、ユーザが前記印刷装置にログインしたことに従って、前記ログインしたユーザに関連付けて前記記憶手段に記憶された印刷データであって、暗号化された印刷データを少なくとも除く印刷データを前記ログインしたユーザの操作を受け付けることなしに、前記印刷手段に印刷させる印刷制御手段と、を有する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明の１つの側面によれば、印刷装置に対してユーザがログインしたことを契機とした自動印刷処理を行う際に暗号化された印刷ジョブを除いた印刷ジョブを自動印刷処理の対象として制御することが可能となる。